(57)【要約】【課題】同一素材から製作することができると共に、カレンダー、写真、絵画等のシート状の表示体をつり下げた状態で掲示できるようにする。【解決手段】シート状の表示体２４を掲示するための掲示装置であって、複数の折線部と複数の切込部とを有する一枚の紙製のシート状素材からなり、表示体２４を係止する綴じ部１２が、シート状素材の一部を組立時にリング形状に形成して構成される。綴じ部は、シート状素材の略中央に形成された中央折線部に一端が連結した舌状部１２により構成され、この舌状部１２を、組立時において他端をシート状素材１に係合させることで中央折線部の上部にリング形状を形成する。【選択図】図４
2007293029.tif 000002
【特許請求の範囲】
【請求項１】
シート状の表示体を掲示するための掲示装置であって、
複数の折線部と複数の切込部とを有する一枚の紙製のシート状素材からなり、
前記表示体を係止する綴じ部が、前記シート状素材の一部をリング形状に形成して構成されることを特徴とする掲示装置。
【請求項２】
前記綴じ部は、
前記シート状素材の略中央に形成された中央折線部に一端が連結した舌状部により構成され、
前記舌状部は、組立時において他端を前記シート状素材に係合させることで前記中央折線部の上部にリング形状を形成することを特徴とする請求項１記載の掲示装置。
【請求項３】
前記シート状素材は、
前記中央折線部、
前記中央折線部と平行に該中央折線部よりも前記シート状素材の一辺寄りに形成された前側折線部、
前記中央折線部と平行に該中央折線部よりも前記シート状素材の他辺寄りに形成された後側折線部、
前記舌状部を形成する凸形切込部、
組立時に前記舌状部の中間部と係合する舌部用直線切込部、
組立時に前記舌状部の先端部と係合する舌部用曲線切込部、
前記前側折線部と前記シート状素材の一辺との間に形成される面と前記後側折線部と前記シート状素材の他辺との間に形成される面とにより下面を構成し、これら２つの面を係合させる下面係止部及び下面係止用切込部、
を有して構成されることを特徴とする請求項２記載の掲示装置。
【発明の詳細な説明】
【技術分野】
【０００１】
本発明は、カレンダー、写真、絵画等のシート状の表示体を掲示するための掲示装置に関するものである。
【背景技術】
【０００２】
本発明に関連する先行技術として、次のようなものが開示されている。この先行技術に係る装置は、複数の綴じ部材（５）と、絵画等が表示されたシート（３）を有し、綴じ部材（５）には平坦部（１５）と環状の顎部（１６）が設けられ、シート（３）は端部に複数の切り欠き部（１２）が設けられ、シート（３）の切り欠き部（１２）が綴じ部材（５）の顎部（１６）と係止して綴じられている絵画等の掲示部材（１）において、軸部材（６）を有し、綴じ部材（５）には貫通孔（１７）が設けられ、各綴じ部材（５）の貫通孔（１７）に軸部材（６）が挿通され、この軸部材（６）が他部材（１８）に支持されることを特徴とするものである（特許文献１参照）。これにより、シート（３）に表出された絵画等をつり下げた状態で掲示することができるとされている。
【０００３】
また、他の先行技術に係るものとして、カレンダーを掲示するための装置であって、シート状素材に切込部等を設け、この切込部に表示部を差し込んで固定する構造とし、表示部および支持部のすべてを紙材等のシート状素材で形成するものが開示されている（特許文献２参照）。
【特許文献１】特開２００１−３０６７５０号公報
【特許文献２】特開２００５−２９７３９６号公報
【発明の開示】
【発明が解決しようとする課題】
【０００４】
しかしながら、上記特許文献１に開示される装置においては、シートを支持する部材として、少なくとも綴じ部材（５）、軸部材（６）、スタンド（１８）が必要であり、これらはそれぞれ別部材であって、しかも材質が異なるものであるため、製作コスト、ゴミ問題等に対して改善の余地がある。また、上記特許文献２に開示される先行技術においては、すべてを紙材等の同一素材で作ることができるので、製作コスト、ゴミ問題等に対しては有利であるが、前述した特許文献１のように、絵画等をつり下げた状態で掲示することができず、例えば掲示してあるカレンダーの表示月を１月から２月に変るような場合には、先ず１月のシート（表示体）を取り外し、その後に２月のシート（表示体）を嵌め込むといった作業が必要となる。このため、利便性の面で改善の余地がある。
【０００５】
本発明は、上述した事情に鑑みてなされたものであり、同一素材で製作することができると共に、カレンダー、写真、絵画等のシート状の表示体をつり下げた状態で掲示することができる掲示装置を提供することを主たる課題としている。
【課題を解決するための手段】
【０００６】
上記課題の解決を図る本発明は、シート状の表示体を掲示するための掲示装置であって、複数の折線部と複数の切込部とを有する一枚の紙製のシート状素材からなり、前記表示体を係止する綴じ部が、前記シート状素材の一部をリング形状に形成して構成されることを特徴とするものである（請求項１）。
【０００７】
このように、表示体を係合するための綴じ部を、他の部分と同様に、一枚の紙製シート状素材の一部で構成するようにしたので、従来必要だったプラスチック等の素材からなるリング、軸等の部材が不要となる。また、綴じ部をリング形状にすることにより、カレンダー等の表示体を複数つり下げた状態で掲示することが可能となる。
【０００８】
また、上記請求項１記載の掲示装置の具体的な構成としては、前記綴じ部は、前記シート状素材の略中央に形成された中央折線部に一端が連結した舌状部により構成され、前記舌状部は、組立時において他端を前記シート状素材に係合させることで前記中央折線部の上部にリング形状を形成するものであることが好ましい（請求項２）。
【０００９】
このような掲示装置の更に具体的な構成としては、前記シート状素材を、前記中央折線部、前記中央折線部と平行に該中央折線部よりも前記シート状素材の一辺寄りに形成された前側折線部、前記中央折線部と平行に該中央折線部よりも前記シート状素材の他辺寄りに形成された後側折線部、前記舌状部を形成する凸形切込部、組立時に前記舌状部の中間部と係合する舌部用直線切込部、組立時に前記舌状部の先端部と係合する舌部用曲線切込部、前記前側折線部と前記シート状素材の一辺との間に形成される面と、前記後側折線部と前記シート状素材の他辺との間に形成される面とにより下面を構成し、これら２つの面を係合させる下面係止部及び下面係止用切込部を有して構成することが好ましい（請求項３）。
【発明の効果】
【００１０】
以上述べたように、本発明に係る掲示装置によれば、表示体を掲示する表示部が一枚の紙製のシート状素材で構成され、表示体を係止する綴じ部がシート状素材の一部をリング形状に形成して構成されるので、表示体を係止する綴じ部を含めて同一素材で製作することが可能となり、製作コストの低減、ゴミ問題の改善等を図ることが可能になる。また、カレンダー等の表示体を複数吊り下げた状態で掲示することが可能となるので、利便性の面でも優れたものとなる。
【発明を実施するための最良の形態】
【００１１】
以下、添付した図面を参照して本発明の実施例を説明する。図１は、本発明に係る掲示装置１の組立前の状態を示すものである。この掲示装置は、１枚の直方形状の厚紙からなるシート状素材１で構成され、このシート状素材１を折り曲げやすいように中央折線部２、前側折線部３、後側折線部４が設けられ、これらの折線部２，３，４により、前面部５、後面部６、前側下片部７、後側下片部８に区画されている。図２は、上記シート状素材１を各折線部２，３，４に沿って折った後の状態を示すものである。
【００１２】
図１及び図２に示すように、前面部５には、凸形切込部１１により凸形状に形成された舌状部１２が２つ形成されている。凸形切込部１１は、その両端部１１ａ，１１ｂが中央折線部２に接するようにシート状素材１を切り込んで形成されたものである。この凸形切込部１１の両端部１１ａ，１１ｂの間には、中央折線部２に沿って直線形状に切り込まれた舌状部用直線切込部１４が形成されており、前面部５の舌状部用直線切込部１４の近傍部には略半円形状に切り込まれた舌状部用曲線切込部１５が形成されている。これら舌状部用直線切込部１４及び舌状部用曲線切込部１５は、舌状部１２の先端部１２ａを挿通及び係止するために形成されるものである（後に詳述する）。また、後側下片部８の端辺１７には、下面係止片部１８が形成され、前側下片部７には、下面係止片部１８を挿通及び係止するための下面係止用切込部１９が形成されている。
【００１３】
図３（ａ）は、図２に示す状態から舌状部１２を矢印の方向に立ち上げた時の状態を示すものである。この時、図３（ａ）において前面部５の凸状切込部１１の内部は空隙２１となり、この空隙２１を介して後面部６に形成された舌状部用曲線切込部１５が見える状態となる。図３（ｂ）は、舌状部１２の拡大図であり、同図に示すように、舌状部１２には中央折線部２とは別に５本の凸片折線部２３が設けられている。これら凸片折線部２３は、舌状部１２を前面部５側に折り曲げやすいように形成されている。
【００１４】
図４（ａ）は、立ち上げた舌状部１２に表示体２４を係合させる際の状態を示すものである。表示体２４は、カレンダー、写真、絵画等の任意の表示物が印刷又は固定されるものであり、例えば図５に示すように、直方又は正方形状の厚紙等からなり、その一方側の面が表示面２５となり、一端（図中上端）の辺の近傍部に係合穴２６が２つ形成されてなる。係合穴２６は、舌状部１２全体が挿通可能な形状及び大きさに形成されている。表示面２５には、カレンダー等が印刷されていてもよいし、任意の写真等を固定することができるように適宜な切込（図示せず）等が形成されていてもよい。
【００１５】
図４（ａ）においては、上記表示体２４が複数重ねられて掲示装置１の舌状部１２に係止される状態が示されている。表示体２４を掲示装置１に係止させる際には、図４（ａ），（ｂ），（ｃ）に示すように、先ず表示体２４全体が後面部６側にいくように表示体２４の係合穴２６を舌状部１２に挿通し、その後舌状部１２を凸片折線部２３に沿って折り曲げて先端部１２ａを掲示装置１に形成された舌状部用直線切込部１４に挿入し、更に押し込んで先端部１２ａを舌状部用曲線切込部１５に、後面部６の表面側から挿入する。これにより、舌状部１２により複数の表示体２４を係止する綴じ部が構成され、舌状部１２の中間部が舌状部用直線切込部１４に係合されると共に、舌状部１２の先端部が舌状部用曲線切込部１５に係合される。
【００１６】
尚、中央折線部２に沿って直線形状に切り込まれた舌状部用直線切込部１４は、中央折線部２の線上、又は少しずらした位置にあり、形成される綴じ部の静止位置や表示体２４の重さを考慮して予め微調整した位置に形成する。
【００１７】
次いで、図６（ａ）に示すように、表示体２４全体を、後面部６側から前面部５側へと回し込み、図６（ｂ）に示すように、舌状部１２を上から軽く押してその先端部１２ａをしっかりと係合させる。
【００１８】
最後に、図７（ａ）に示すように、後側下片部８に形成された下面係止片部１８を、前側下片部７に形成された下面係止用切込部１９に係合させることにより、図７（ｂ）に示すように、掲示装置１は三角形状となり、安定した状態で載置できるようになる。
【００１９】
以上のように、本実施例に係る掲示装置１によれば、一枚の紙素材から、全ての部分を一体に構成することができる。特に、表示体２４を係止する舌状部１２（綴じ部）をシート状素材１の一部で一体に形成したことにより、従来必要だったリング、軸等の部材が不要となるので、製作コスト、ゴミ問題等に対して大きな改善が果たされると共に、複数の表示体２４を吊り下げることができるので、掲示する表示体を替える場合でも、表示体を取り外して付け替える作業が不要となり、利便性も確保することが可能となる。
【００２０】
尚、上述した構成の変形例として、シート状素材の前面部５又は後面部６の少なくとも一方の側縁に、シート状素材１と一体をなす延出部を設け、この延出部を掲示装置の側面開口部を亘すように折り曲げてその先端部をシート状素材に係合させることで、側面開口部の形状変形を抑え、構造上の強度を高めるようにしてもよい。
【図面の簡単な説明】
【００２１】
【図１】本発明に係る掲示装置を構成するシート状素材の組立て前の状態を示す図である。
【図２】シート状素材を各折線部に沿って折り曲げた状態を示す図である。
【図３】（ａ）は、図２に示す状態から舌状部を立ち上げた状態を示す図であり、（ｂ）は、舌状部の構造を示す拡大図である。
【図４】（ａ）は、図３（ａ）に示す状態から掲示装置に表示体を係合させる際の初期段階を示す図であり、（ｂ）は、掲示装置に表示体を係合させる際の中間段階を示す図であり、（ｃ）は、掲示装置に表示体を係合させる際の最終段階を示す図である。
【図５】表示体の一具体例を示す図である。
【図６】（ａ）は、表示体の掲示装置への係止の後の動きを示す図であり、（ｂ）は、（ａ）に示す表示体の動きの完了時における全体の状態を後面部側からみた図である。
【図７】（ａ）は、掲示装置の下面係止片部と下面係止切込部とを係合させる際の状態を示す図であり、（ｂ）は、組立完成後の状態を前面部側からみた状態を示す図である。
【符号の説明】
【００２２】
１  シート状素材
２  中央折線部
３  前側折線部
４  後側折線部
５  前面部
６  後面部
７  前側下面部
８  後側下面部
１２  舌状部
１４  舌状部用直線切込部
１５  舌状部用曲線切込部
１８  下面係止片部
１９  下面係止用切込部
２４  表示体
２６  係止穴
【図１】
2007293029.tif 000003
【図２】
2007293029.tif 000004
【図３】
2007293029.tif 000005
【図４】
2007293029.tif 000006
【図５】
2007293029.tif 000007
【図６】
2007293029.tif 000008
【図７】
2007293029.tif 000009